(57)【要約】      （修正有）【課題】角形ガイドパイプの寸法が異なる場合でも、角形ガイドパイプの寸法に合わせたスライディングブラケットをそれぞれ用意することなく、寸法の異なる複数の角形パイプを抱持することのできる水中ミキサー用昇降補助具のスライディングブラケットを提供する。【解決手段】角形ガイドパイプの外壁をコの字状に抱持するため、スライディングブラケット４の所定巾の前板５の左右両端部の屈曲位置にＶ字状の溝を刻設し、該前板５の左右両端部の側板６，６を前記Ｖ字状の溝の刻設方向または反刻設方向に屈曲形成させることで、２種類の角形ガイドパイプに対応するよう構成する。【選択図】図５
2015085236.tif 000002
【特許請求の範囲】
【請求項１】
水槽内に立設された角形ガイドパイプに沿って昇降自在に支持される水中ミキサーに付設するスライディングブラケットとガイドローラから成る昇降補助具であって、前記角形ガイドパイプの外壁をコの字状に抱持するため、該スライディングブラケットの所定巾の前板の左右両端部の屈曲位置にＶ字状の溝を刻設し、該前板の左右両端部の側板を前記Ｖ字状の溝の刻設方向または反刻設方向に屈曲形成させることで、２種類の角形ガイドパイプに対応するよう構成されていることを特徴とする、水中ミキサー用昇降補助具のスライディングブラケット。
【発明の詳細な説明】
【技術分野】
【０００１】
本発明は、水中ミキサーを水槽内の所定位置に沈設して運転させる際にチェーン等で吊り降ろし、あるいは、メンテナンス時などにチェーンを引張り水中ミキサーを水槽内から引き上げる場合に、水槽内に立設された角形ガイドパイプに沿って水中ミキサーを昇降させるため取付けられる、水中ミキサー用昇降補助具のスライディングブラケットに関するものである。
【背景技術】
【０００２】
水槽内に立設された角形ガイドパイプに沿って水中ミキサーを昇降させるため、一般に昇降補助具が水中ミキサーの後端部に装着されている。該昇降補助具はスライド部材やガイドローラから構成され、該スライド部材は、水中ミキサーの後端部に定着された前板の左右両端部から後方に角形ガイドパイプを抱持するように延びる左右両側板の各後方部に角形ガイドパイプの後壁と係合するガイドローラが付設されている（例えば、特許文献１参照。）。
【０００３】
一方、スライド部材の有する問題点として、スライド部材が抱持する角形ガイドパイプは、例えば仕様等によって５０角や６０角などのそれぞれ異なる寸法をしているので、角形ガイドパイプの寸法に合わせたスライド部材をそれぞれ用意し、都度スライド部材を付け替える等、複数種類のスライド部材を準備して対応する必要があった。
【先行技術文献】
【特許文献】
【０００４】
【特許文献１】特開２００２−３６１０６２号公報（第１図）
【発明の概要】
【発明が解決しようとする課題】
【０００５】
本発明が解決しようとする課題は、角形ガイドパイプの寸法に合わせたスライド部材（以下、「スライディングブラケット」と称す。）をそれぞれ用意する事無く、寸法の異なる複数の角形パイプを抱持することのできる水中ミキサー用昇降補助具のスライディングブラケットを提供することである。
【課題を解決するための手段】
【０００６】
本発明では、水槽内に立設された角形ガイドパイプに沿って昇降自在に支持される水中ミキサーに付設するスライディングブラケットとガイドローラから成る昇降補助具であって、前記角形ガイドパイプの外壁をコの字状に抱持するため、該スライディングブラケットの所定巾の前板の左右両端部の屈曲位置にＶ字状の溝を刻設し、該前板の左右両端部の側板を前記Ｖ字状の溝の刻設方向または反刻設方向に屈曲形成させることで、２種類の角形ガイドパイプに対応するよう構成されていることを最も主要な特徴とする。
【発明の効果】
【０００７】
本発明によれば、スライディングブラケットの所定巾の前板の左右両端部の屈曲位置にＶ字状の溝が刻設されているので、展開状態のスライディングブラケット素材を該スライディングブラケットの前板の左右両端部の側板を溝の刻設方向または反刻設方向に屈曲形成させ、一種類のスライディングブラケット素材で側板の屈曲形成方向を変えることで、角形ガイドパイプの寸法が異なる場合でも、角形ガイドパイプの寸法に合わせた複数のスライディングブラケット素材をそれぞれ用意する事無く、一種類のスライディングブラケット素材で極めて容易に寸法の異なる角形パイプの外壁をコの字状に抱持する水中ミキサー用昇降補助具のスライディングブラケットを提供し得るという利点がある。
【０００８】
また、本発明の昇降補助具は締結具によって、水中ミキサーの後端面に装着自在に構成されていることから、取付ピッチが同一のスライディングブラケットに基づいて屈曲形成方向を変えることで、前記異なる寸法の角形ガイドパイプの２種類の昇降補助具が、同一の水中ミキサーの後端面に極めて容易に取替え装着が可能となることで、例えば標準仕様が５０角用の昇降補助具が装備された水中ミキサーであっても、６０角用の昇降補助具に現場作業でも取替可能となることから、既設の６０角用の昇降装置への入替が極めて容易に対応し得ると言う効果を有していると共に、当然の如く上述とは逆に標準仕様が６０角用の昇降補助具が装備された水中ミキサーを、既設の５０角用の昇降装置へ入替る場合も、上記と同様の効果を奏することができる。
【図面の簡単な説明】
【０００９】
【図１】本発明昇降補助具を装着させた水中ミキサーの側面図である。
【図２】本発明昇降補助具を装着させた水中ミキサーの平面図である。
【図３】本発明昇降補助具の側面図である。
【図４】本発明昇降補助具の背面図である。
【図５】本発明昇降補助具の平面図である。
【図６】本発明昇降補助具を構成するスライディングブラケットの展開図である。
【図７】本発明昇降補助具を構成するスライディングブラケットの溝８の要部拡大図である。
【図８】本発明昇降補助具を構成するスライディングブラケットを溝８の刻設方向に側板を屈曲させた態様の平面図である。
【図９】本発明昇降補助具を構成するスライディングブラケットを溝８の反刻設方向に側板を屈曲させた態様の平面図である。
【発明を実施するための形態】
【００１０】
水槽内に立設された角形ガイドパイプに沿って昇降自在に支持される水中ミキサーに付設するスライディングブラケットとガイドローラから成る昇降補助具であって、前記角形ガイドパイプの外壁をコの字状に抱持するため、該スライディングブラケットの所定巾の前板の左右両端部の屈曲位置にＶ字状の溝を刻設し、該前板の左右両端部の側板を前記Ｖ字状の溝の刻設方向または反刻設方向に屈曲形成させることで、２種類の角形ガイドパイプに対応するよう構成されている。
【実施例１】
【００１１】
図１乃至図８において、１は水槽内に立設された角形ガイドパイプであり、複数本の角形パイプを継ぎ合せて所要の長さに構成し、２はスライディングブラケット４とガイドローラ７・・７から成る昇降補助具であり、該昇降補助具２はスライディングブラケット４の前板５に穿設された昇降補助具２の取付孔４ｈによって、水中ミキサー３の後端面に取付具４ｂを用いて締結装着され、スライディングブラケット４は、スライディングブラケット４の前板５と、前板５の左右両端部から後方へ平行に導延されたスライディングブラケット４の左右両側板６，６により角形ガイドパイプ１をコの字状に抱持すると共に、ガイドローラ７・・７は、スライディングブラケット４の左右両側板６，６に穿設されたガイドローラ７・・７の取付孔７ｈによって、該左右両側板６，６に取付具７ｂを用いて角形ガイドパイプ１の後壁へ転動係合するよう取付られている。
【００１２】
また、スライディングブラケット４の前板５の左右両端部の屈曲位置に深さｈのＶ字状の溝８が開角θで形成されており、スライディングブラケット４はＶ字状の溝８を境に該前板５の左右両端部の側板６を溝８の刻設方向または反刻設方向にそれぞれ屈曲することで昇降補助具２が角形ガイドパイプ１をコの字状に抱持できるように形成されており、特にスライディングブラケット４の側板６を溝８の刻設方向に屈曲させた場合に、溝８の刻設傾斜面８Ｉ同士の密着性を向上させることができるので、θは９０°であることが好ましい。
【００１３】
例えば、前板５の巾が５０角の角形ガイドパイプに対応したスライディングブラケット４において、Ｖ字状の開角θを９０°に形成し、素材板の厚み９ｍｍとして溝深さｈを７ｍｍに刻設することで、溝８を境に該前板５の左右両端部の側板６を溝の刻設方向に屈曲形成させた場合は、左右両側板６，６間の間隔Ｂ１は５０角の角形ガイドパイプに対応することができ、また、該前板５の左右両端部の側板６を溝の反刻設方向に屈曲形成させた場合は、左右両側板６，６間の間隔Ｂ２は前記Ｂ１に｛溝深さｈ７ｍｍ−(素材板の厚み９ｍｍ−溝深さｈ７ｍｍ)｝×２＝１０ｍｍが加算され、６０角の角形ガイドパイプに対応することができるので、角形ガイドパイプ１の寸法が異なる場合でも、角形ガイドパイプの寸法に合わせた複数のスライディングブラケット４素材をそれぞれ用意する事無く、一種類のスライディングブラケット素材で極めて容易に寸法の異なる複数の角形ガイドパイプ１の外壁をコの字状に抱持することができる。
【符号の説明】
【００１４】
１    角形ガイドパイプ
２    昇降補助具
３    水中ミキサー
４    スライディングブラケット
５    前板
６    側板
７    ガイドローラ
８    溝
【図１】
2015085236.tif 000003
【図２】
2015085236.tif 000004
【図３】
2015085236.tif 000005
【図４】
2015085236.tif 000006
【図５】
2015085236.tif 000007
【図６】
2015085236.tif 000008
【図７】
2015085236.tif 000009
【図８】
2015085236.tif 000010
【図９】
2015085236.tif 000011